(57)【要約】【課題】除湿熱交換器に導入する外気を予め冷却して低温化することにより、外気の除湿効率を向上させ、かつ、除湿に用いる吸着材の再生を効率よく行なえるデシカント空調方法およびその空調システムを提供することである。【解決手段】吸着材を充填した除湿熱交換器１に外気を供給し、前記吸着材により除湿して乾燥空気とした後に、この乾燥空気を除湿熱交換器１出側の乾燥空気用熱交換器２により冷却し、次いで乾燥空気用加湿器３により加湿・冷却して空調空間４に供給するデシカント空調方法において、前記除湿熱交換器１の入側に外気用熱交換器５を設け、前記空調空間４の出側に排出空気用加湿器７を設け、この排出空気用加湿器７により空調空間４からの排出空気を加湿・冷却した後に、外気用熱交換器５に供給して前記外気を予め冷却し、また、除湿熱交換器１の再生に、マイクロガスタービンの排熱を用いるようにしたのである。【選択図】  図２
2004271081.tif 000002
【特許請求の範囲】
【請求項１】
吸着材を充填した除湿熱交換器内に外気を供給し、前記吸着材により除湿して乾燥空気とした後に、この乾燥空気を前記除湿熱交換器の出側に設けた乾燥空気用熱交換器により冷却し、次いで乾燥空気用加湿器により加湿・冷却して空調空間に供給するデシカント空調方法において、前記除湿熱交換器の入側に外気用熱交換器を設け、前記空調空間の出側に排出空気用加湿器を設け、この排出空気用加湿器により空調空間からの排出空気を加湿・冷却した後に、この排出空気を前記外気用熱交換器に供給して前記外気を冷却するようにしたことを特徴とするデシカント空調方法。
【請求項２】
前記除湿熱交換器に高温の排出ガスを供給し、その顕熱により、除湿熱交換器に充填した吸着材を間接加熱し、水分を除去して再生させるようにしたことを特徴とする請求項１に記載のデシカント空調方法。
【請求項３】
前記除湿熱交換器で熱交換を終えた高温の排出ガスを、前記除湿熱交換器の入側に設けた外気用熱交換器に供給し、この外気用熱交換器により、除湿熱交換器の吸着材充填層に通風するパージ用外気を予熱するようにしたことを特徴とする請求項２に記載のデシカント空調方法。
【請求項４】
除湿熱交換器の出側に乾燥空気用の熱交換器と加湿器とを直列に設け、この除湿熱交換器の入側に外気用熱交換器を設け、この外気用熱交換器により、送風機から供給された外気を冷却した後に、この外気を前記除湿熱交換器に充填した吸着材により除湿して乾燥空気とし、この乾燥空気を前記乾燥空気用熱交換器により冷却し、次いで前記乾燥空気用加湿器により加湿・冷却して空調空間に供給するようにした第１の空調工程と、前記空調空間の出側に排出空気用加湿器を設け、この排出空気用加湿器により、前記空調空間からの排出空気を加湿・冷却して前記外気用熱交換器に供給するようにした第２の空調工程と、前記除湿熱交換器に高温の排出ガスを供給して、その顕熱により除湿熱交換器に充填された吸着材を間接的に加熱し、水分を除去して再生させる第１の再生工程と、前記外気用熱交換器に、除湿熱交換器で熱交換を終えた前記高温排出ガスを供給し、パージ用外気を予熱し、この予熱された外気を除湿熱交換器の再生中の吸着材充填層に通風し、この充填層内の水蒸気をパージするようにした第２の再生工程とにより空調を行なうようにしたデシカント空調システム。
【請求項５】
前記除湿熱交換器が、吸着材充填層を有するプレートフィン型の熱交換器であり、このプレートフィン型の除湿熱交換器およびその入側の前記外気用熱交換器を、前記第１の空調工程と、前記第１および第２の再生工程とで、それぞれ使用できるように複数設け、これらの除湿熱交換器を、空気流路の切り替えにより、それぞれの工程で互いに使用できるようにし、第１および第２の空調工程の実施時に、第１および第２の再生工程を並行して実施し、第１の空調工程で使用中の除湿熱交換器の吸着能力が低下し、再生が必要となった時に、前記外気用熱交換器からの空気流路を、第１および第２の再生工程で吸着材の再生を終了した除湿熱交換器の方に切り替えることにより、空調空気を連続して供給できるようにした請求項４に記載のデシカント空調システム。
【発明の詳細な説明】
【０００１】
【発明の属する技術分野】
この発明は、デシカント空調機の空気の流通経路等を改善することにより、除湿能力等を向上させるデシカント空調方法およびその空調システムに関する。
【０００２】
【従来の技術】
デシカント空調は、吸着材を用いて外気中の湿気を一旦、低湿度まで除湿して乾燥空気とした後に、この乾燥空気を適度に加湿し、その際の気化熱により冷却して空調空気とし、室内空間に供給する吸着材を利用した空調方法であり、圧縮機を用いたヒートポンプによる空調方法に比べて、外気を直接利用した空調形態をとるため、換気量が大幅に増加することによって、室内空気質の改善、熱エネルギの高利用効率による省エネルギ効果、フロン等の冷媒の不使用による環境破壊の防止などの利点がある。また、例えば、スーパーマーケットなどでの、食品などの商品への着霜防止や低温高湿度による冷えすぎの防止等快適性の向上などの利点もある。
【０００３】
従来のデシカント空調では、一般に、図４に装置構成と空気の流れとを示すように、シリカゲルなどの吸着材を充填したロータ式除湿熱交換器１１でブロア１６から送風した外気を除湿し、乾燥空気を作る。このロータ式除湿熱交換器１１では、下半分側が、排ガスなどの高温ガスＧを通過させる再生域になっている。吸着材により除湿される過程では、外気に気相の状態で含まれていた水分が液相の水になっているため、液化熱による吸着熱が発生する。この吸着熱は、除湿された外気、即ち乾燥空気に伝達するため、その温度が高くなる。このため、温度が上昇した乾燥空気を、乾燥空気用熱交換器１２で一旦冷却した後、乾燥空気用加湿器１３で加湿、即ち適度の水分を加え、その気化熱により、前記乾燥空気の温度を再度低下させ、適度の湿度範囲の空調空気とされ、この空調空気が空調空間１４に供給される。そして、空調空間１４からの、外気よりも温度の低い排出空気は、排出空気用加湿器１５で、適度に水分が加えられ、その気化熱により温度がさらに低下して、乾燥空気用熱交換器１２に冷却用熱媒体として供給される。
【０００４】
【発明が解決しようとする課題】
しかし、従来から使用されているロータ型除湿熱交換器では、外気の湿気を除湿して乾燥空気とする過程で、吸着材の雰囲気中の外気に前記吸着熱が伝達するために、雰囲気温度が上昇し、その結果として、雰囲気の相対湿度が下がる。シリカゲルなどの吸着材では、適度の雰囲気温度（２０℃〜４０℃）下で、水分の吸着量は相対湿度に比例して増加するため、相対湿度が下がると水分の吸着量も減少し、除湿効率が下がる。
【０００５】
このため、ロータ型除湿熱交換器を用いる場合、図４に示したような空調空気の作製工程では、高温多湿の夏場の外気に対しては、上記理由により、除湿量が低下し、乾燥空気用加湿器１３で加湿した後の空調空気の温度は、この空調空気の相対湿度を、例えば、４０％〜７０％程度の適正範囲の湿度を確保しようとすれば、２５℃程度以下に下がらず、従って、空調空間１４に２５℃以下の空調空気を供給することはできない。従って、特に夏場に、この温度以下の空調空気を得ようとすれば、冷凍機等の補助の空調設備を併用する必要がある。
【０００６】
前述のように、前記吸着材は適度の雰囲気温度下で、高相対湿度であれば吸着量が増加することから、吸着材をプレートフィン等の熱交換部に充填した除湿熱交換器を用いて、吸着熱を間接的に除去することにより、相対湿度の低下を抑制して、除湿効率を改善する方式も適用されている。しかし、この方式の除湿熱交換器を用いる場合、吸着材自体の熱伝導率が小さいために、十分な熱交換量を得ることが難しい。
【０００７】
このため、従来、空調用外気を除湿する減湿ロータの入側に熱交換器を設け、この熱交換器に、空調空間からの還気、即ち排出空気を供給して、減湿ロータへ供給される空調用外気を冷却するデシカント空調方法が開示されている（例えば、特許文献１参照）。
【０００８】
【特許文献１】
特開平１１−３０４１９４号公報（［０００８］〜［０００９］、［００１５］〜［００１８］）
【０００９】
しかし、このデシカント空調方法では、空調空間からの排出空気を、加湿せずに、一旦、除湿ロータの出側に設けた、除湿後の乾燥空気を冷却する熱交換器に供給した後に、空調用外気を冷却する除湿ロータの入側に設けた熱交換器に供給しているため、この熱交換器で外気を充分に冷却できず、減湿ロータでの除湿効率に改善の余地がある。
【００１０】
一方、吸着材の吸着能力を向上させる方法としては、高温の熱によって吸着材の乾燥状態を高める必要があり、このような高熱量を供給できる熱源を新たに設けるには、かなり大掛かりな装置が必要となる。
【００１１】
そこで、この発明の課題は、除湿熱交換器に導入する外気を予め冷却して低温化することにより外気の相対湿度を高め、吸着材による水分の吸着量を増加させて除湿効率を向上させ、かつ、この吸着材の再生を効率よく行なえるデシカント空調方法およびその空調システムを提供することである。
【００１２】
【課題を解決するための手段】
前記の課題を解決するために、この発明では以下の構成を採用したのである。
【００１３】
即ち、吸着材を充填した除湿熱交換器内に外気を供給し、前記吸着材により除湿して乾燥空気とした後に、この乾燥空気を前記除湿熱交換器の出側に設けた乾燥空気用熱交換器により冷却し、次いで乾燥空気用加湿器により加湿・冷却して空調空間に供給するデシカント空調方法において、前記除湿熱交換器の入側に外気用熱交換器を設け、前記空調空間の出側に排出空気用加湿器を設け、この排出空気用加湿器により空調空間からの排出空気を加湿・冷却した後に、この排出空気を前記外気用熱交換器に供給して前記外気を冷却するようにしたのである。
【００１４】
一般に、シリカゲル等の吸着材、即ち相対湿度の増加に対して水分の吸着量が、ほぼ線形に比例して増加する特徴を有する吸着材では、図１に示すように、同一相対湿度であれば、水分の吸着量は、吸着材の雰囲気温度が低くなるほど増加する。このため、熱交換機能を有する除湿器、即ち除湿熱交換器に供給される外気の温度を、前記外気用熱交換器により低下させると、外気中に含まれる水蒸気の量は同じ状態で、外気の飽和水蒸気圧が低くなることから、相対湿度が上昇する。併せて、除湿熱交換器に入る外気温度を低下させて導風させることにより、吸着材の雰囲気温度も低下し、図１に示したように、雰囲気温度の低下とともに水分の吸着量が増加し、除湿熱交換器での除湿効率が向上する。
【００１５】
前記空調空間からの排出空気に加湿器により、水分を添加して加湿すると、その気化熱により、外気よりも温度の低い排出空気の温度が更に低下する。この排出空気を冷却用熱媒体として前記外気用熱交換器に供給すれば、外気の温度低下量を大きくでき、除湿熱交換器に供給される外気の相対湿度が高まることにより、水分の吸着量が増加する。
【００１６】
通常のロータ式の除湿熱交換器では、夏場の外気を除湿する場合には、吸着中の吸着材充填層の雰囲気温度は、吸着熱が前記雰囲気に伝達し、６０〜７０℃に達する。一方、吸着熱を間接的に除去できるプレートフィン型等の除湿熱交換器の吸着材充填層入側に熱交換器を設け、空調空間からの排出空気を加湿器でさらに加湿・冷却し、この空気で前記熱交換器に供給して外気を冷却した場合には、夏場の外気を除湿する場合でも、併せて、前記除湿熱交換器で吸着熱を間接的に除去しながら吸着が行なわれるため、この外気、即ち吸着材充填層の雰囲気温度は４５℃前後にまで低下させることができる。
【００１７】
図１に示したように、従来のデシカント空調方法で、  除湿熱交換器に供給される外気が、吸着材による水分の吸着熱で６０℃程度に上昇して吸着材の雰囲気温度を形成し、この雰囲気の相対湿度がおよそ１５％の場合（Ｓ点）、本発明の実施により、除湿熱交換器に供給される外気を前記熱交換器により冷却して、吸着材の雰囲気温度を４５℃程度に低下させると、この雰囲気の相対湿度はおよそ３０％に上昇する（Ｔ点）。このように、除湿熱交換器に供給する外気を予め冷却しておくことにより、吸着材雰囲気の相対湿度が高まり（１５％→３０％）、同時に、その温度が低下するため（６０℃→４５℃）、水分の吸着量がＡ１→Ａ２に増加し、除湿熱交換器出側での乾燥空気中の水分をより低下させることができる。なお、仮に吸着材の雰囲気温度を３３℃まで低下させれば、この雰囲気の相対湿度はおよそ６０％にまで高まる（Ｕ点）。
【００１８】
このように、乾燥空気中の水分をより低下させることにより、除湿熱交換器の出側に配置された熱交換器で、除湿に伴う吸着熱により上昇した乾燥空気の温度を一旦低下させた後に、前記加湿器での水分の添加量を多くすることができる。それにより、通常４０％〜７０％程度の適正湿度を維持しながら、空調空間に供給する空調空気の温度をより低下させることができ、実質的に空調能力の向上をもたらす。
【００１９】
前記除湿熱交換器に、高温の排出ガスを供給し、その顕熱により、除湿熱交換器に充填した吸着材を間接加熱し、水分を除去して再生させることができる。
【００２０】
前記高温の排出ガスとして、例えば、マイクロガスタービンからの排出ガスを用いることができる。小型分散電源の代表的な一種であるマイクロガスタービンは、小型・軽量で据付が容易であることに加え、低環境負荷、設備費および保守費が安価等の利点を有し、その発電の過程で発生する排熱、即ち、通常、１００℃〜２５０℃程度の排気ガスの保有する熱量を、冷暖房や給湯、および蒸気の生成などに再利用される。この排気ガスを除湿熱交換器に加熱用熱媒体として供給し、吸着材を間接加熱し、その水分を除去して再生に再利用すれば、新たに熱風の供給装置を設けずに済み、また、マイクロガスタービン自体のエネルギ利用効率を高めることにもなり、省エネルギや設備コストの低減等で有利である。
【００２１】
前記除湿熱交換器で熱交換を終えた高温の排出ガスを、前記除湿熱交換器の入側に設けた外気用熱交換器に供給し、この外気用熱交換器により、除湿熱交換器の吸着材充填層に通風するパージ用外気を予熱することが望ましい。
【００２２】
このようにすれば、パージ用外気の温度が上昇し、かつ、その相対湿度が下がるため、例えば、マイクロガスタービンからの高温の排出ガスなどを加熱用熱媒体として、プレートフィン等の除湿熱交換器の吸着材を併せて間接加熱することにより、充填層内に充満する水蒸気をパージしやすくなり、吸着材の乾燥状態をより向上させることができる。
【００２３】
除湿熱交換器の出側に乾燥空気用の熱交換器と加湿器とを直列に設け、この除湿熱交換器の入側に外気用熱交換器を設け、この外気用熱交換器により、送風機から供給された外気を冷却した後に、前記除湿熱交換器に充填した吸着材により除湿して乾燥空気とし、この乾燥空気を前記乾燥空気用熱交換器により冷却し、次いで前記乾燥空気用加湿器により加湿・冷却して空調空間に供給するようにした第１の空調工程と、前記空調空間の出側に排出空気用加湿器を設け、この排出空気用加湿器により、前記空調空間からの排出空気を冷却して前記外気用熱交換器に供給するようにした第２の空調工程と、前記除湿熱交換器に高温の排出ガスを供給して、その顕熱により除湿熱交換器に充填された吸着材を間接的に加熱し、水分を除去して再生させる第１の再生工程と、前記外気用熱交換器に、除湿熱交換器で熱交換を終えた前記高温排出ガスを供給し、パージ用外気を予熱し、この予熱された外気を除湿熱交換器の再生中の吸着材充填層に通風し、この充填層内の水蒸気をパージするようにした第２の再生工程とにより空調を行なうようにして、デシカント空調システムを形成することができる。
【００２４】
このようにして、デシカント空調システムを形成すれば、第１および第２の空調工程で、夏場の外気でも、除湿熱交換器入側の外気の温度を所要の温度域にまで下げて、相対湿度を向上させることができるため、前述のように、除湿熱交換器での水分の吸着量が増加し、除湿効率を向上させることができる。それにより、乾燥空気用加湿器での加湿量、即ち水分の添加量を増加させ、気化熱を多くすることができ、適正範囲の湿度を維持しつつ、空調空間に供給する空調空気の温度をより低下させることができ、実質的に空調能力が向上する。
【００２５】
なお、前記高温の排出ガスとして、前述のように、例えば、マイクロガスタービンからの排出ガスを用いることができる。
【００２６】
前記除湿熱交換器が、吸着材充填層を有するプレートフィン型の熱交換器であり、このプレートフィン型の除湿熱交換器およびその入側の前記外気用熱交換器を、前記第１の空調工程と、前記第１および第２の再生工程とで、それぞれ使用できるように複数設け、これらの除湿熱交換器を、空気流路の切り替えにより、それぞれの工程で互いに使用できるようにし、第１および第２の空調工程の実施時に、第１および第２の再生工程を並行して実施し、第１の空調工程で使用中の除湿熱交換器の吸着能力が低下し、再生が必要となった時に、前記外気用熱交換器からの空気流路を、第１および第２の再生工程で吸着材の再生を終了した除湿熱交換器の方に切り替えることにより、空調空気を連続して供給できるようにすることが望ましい。
【００２７】
このようにすれば、第１の空調工程および第２の空調工程により、空調空気を空調空間へ供給中に、第１および第２の再生工程により、使用により吸着能力が低下した吸着材の水分を蒸発させて再生できるため、前記空調工程を中断する必要がなく、空調空気の連続供給が可能となる。
【００２８】
【発明の実施の形態】
以下に、この発明の実施形態を添付の図２および図３に基づいて説明する。
【００２９】
図２は、実施形態のデシカント空調システムを用いて空調を行なう際の、第１の空調工程Ｐ１および第２の空調工程Ｐ２を示したものである。
【００３０】
前記第１の空調工程Ｐ１では、シリカゲルなどの吸着材を充填したプレートフィン型等の除湿熱交換器１の出側に、フィンチューブ型等の乾燥空気用熱交換器２と乾燥空気用加湿器３が直列に設けられ、この乾燥空気用加湿器３の出側に空調空間４が存在している。除湿熱交換器１の入側には、フィンチューブ型等の外気用熱交換器５が設けられ、この外気用熱交換器５にブロア６が接続されている。除湿熱交換器１には、冷却用熱媒体として空気を供給するために、ブロア６ａが接続されている。また、乾燥空気用熱交換器２にも、冷却用熱媒体として空気を供給するために、図示を省略したブロアが接続されている。
【００３１】
なお、前記吸着材としては、シリカゲルの他に、高分子吸着材、天然または合成ゼオライトや活性炭などの多孔質材料を用いることができる。
【００３２】
前記第２の空調工程Ｐ２では、空調空間４の出側に、この空調空間４からの排出空気用加湿器７が設けられ、この排出空気用加湿器７は除湿熱交換器１の入側に設けた外気用熱交換器５の冷却用熱媒体の供給口に接続されている。
【００３３】
図３は、実施形態のデシカント空調システムを用いて空調を行なう際の、第１の再生工程Ｒ１および第２の再生工程Ｒ２を示したものである。
【００３４】
前記第１の再生工程Ｒ１では、前記空調工程Ｐ１での使用により吸着能力が低下し、再生が必要となった、前記除湿熱交換器１と同じ仕様のプレートフィン型の除湿熱交換器１ａの加熱用熱媒体入側に、マイクロガスタービン８の排気口が接続され、除湿熱交換器１ａに充填された前記吸着材を間接的に加熱できるようになっている。
【００３５】
前記第２の再生工程Ｒ２では、除湿熱交換器１ａの入側に、前記空調工程の外気用熱交換器５とは別個に同じ仕様のフィンチューブ型の外気用熱交換器５ａが設けられ、この外気用熱交換器５ａに、除湿熱交換器１ａで熱交換を終えたマイクロガスタービン８からの排気ガスが加熱用熱媒体として供給され、ブロア６ｂから除湿熱交換器１ａの吸着材充填層に通風されるパージ用外気を予熱できるようになっている。
【００３６】
この発明の実施形態は以上のような構成であり、以下にその作用について説明する。
【００３７】
図２に示したように、第１の空調工程Ｐ１では、ブロワ６から供給される、一例として、温度が３３℃程度、相対湿度が６０％程度の外気は、外気用熱交換器５を通って、温度が２９℃程度に低下し、相対湿度が７５％程度に上昇する。除湿熱交換器１に充填されたシリカゲルなどの吸着材で、除湿、即ち水分が吸着されて温度が４５℃程度、相対湿度が１０％程度の乾燥空気となる。この乾燥空気には、吸着材による水分の吸着の際に発生する液化熱による吸着熱が伝達するために、外気用熱交換器５を経て除湿熱交換器１に供給される前記２９℃程度の外気よりも温度が高くなっている。このため、乾燥空気用熱交換器２で一旦２５℃程度に冷却された後、乾燥空気用加湿器３で加湿、即ち適量の水分が加えられる。この水分は、前記乾燥空気中で気化し、その気化熱により温度が低下し、この乾燥空気が、温度が２０℃程度、相対湿度が６０％程度の空調空気となり、相対湿度がおよそ４０％〜７０％の適正湿度範囲にある空調空気が空調空間４に供給される。
【００３８】
第２の空調工程Ｐ２では、前記空調空間４からの、外気よりも温度の低い排出空気は、排出空気用加湿器７により加湿、即ち適量の水分を加えてさらに冷却された後、除湿熱交換器１の入側に設けた外気用熱交換器５の冷却用熱媒体として供給される。
【００３９】
前記除湿熱交換器１の入側に外気用熱交換器５を設けているため、ブロワ６から送風される外気を、排出空気用加湿器７で温度を低下させた空調空間４からの排出空気により予め冷却するため、夏場の外気でも、その温度を低下させて相対湿度をさらに高め、除湿熱交換器１に供給することができ、水分の吸着量即ち除湿量を多くすることができる。このように、除湿熱交換器１から排出される乾燥空気中の水分をより低下させることにより、乾燥空気に対して、乾燥空気用加湿器３での水分の添加量を増加させて気化熱を多くすることができるため、４０％〜７０％程度の適正範囲の湿度を維持しつつ、空調空間４に供給する空調空気の温度をより低下させることが可能となる。
【００４０】
また、前記外気用熱交換器５の冷却用熱媒体として、排出空気用加湿器７によりさらに温度を低下させた、空調空間４からの排出空気を用いるため、新たに冷却用熱媒体の供給装置を設ける必要がなく、省エネルギおよび設備コストの低減等の利点がある。
【００４１】
図３に示したように、第１の再生工程Ｒ１では、小型分散電源のマイクロガスタービン８の１００〜２５０℃程度の排気ガスを加熱用熱媒体として、前記第１の空調工程Ｐ１での使用により吸着能力が低下した除湿熱交換器１に供給し、充填した吸着材の再生に用いるので、新たに熱風の供給装置を設けずに済み、また、マイクロガスタービンのエネルギ利用効率が高まる。
【００４２】
さらに、第２の再生工程Ｒ２では、除湿熱交換器１ａで熱交換を終えたマイクロガスタービン８からのまだ高温状態にある排気ガスを、この除湿熱交換器１の入側の外気用熱交換器５の加熱用熱媒体として供給するため、新たな熱風供給装置を設けずに、前記パージ用外気を予熱することができ、マイクロガスタービンの排ガスのエネルギを有効に利用することができる。
【００４３】
前記の除湿熱交換器１の再生工程Ｒ１およびＲ２は、第１および第２の空調工程Ｐ１およびＰ２と並行して行なえるので、前記空調工程Ｐ１で使用中の除湿熱交換器１の吸湿能力が低下すると、再生工程Ｒ１、Ｒ２で再生済みの除湿熱交換器１ａの方に空気流路を切り替えることにより、空調工程Ｐ１、Ｐ２を連続して実施し、空調空間４に空調空気を連続供給することができる。
【００４４】
【発明の効果】
以上のように、この発明によれば、除湿熱交換器の入側に、空調用外気を冷却する熱交換器を設けたので、除湿熱交換器へ供給する外気の温度を低下させ、相対湿度を高めることにより、除湿熱交換器での除湿量を増加させ、除湿熱交換器から排出させる乾燥空気の湿度をより低下させることができる。それにより、この乾燥空気への加湿量を増加させて、気化熱を多くできるため、夏場の高温外気でも、空調空間へ供給する空調空気の温度を、適正範囲の湿度を維持しつつ、低く保つことができる。
【００４５】
また、除湿熱交換器入側の外気用熱交換器に冷却用熱媒体として、空調空間からの排出空気を、加湿器によりさらに温度を下げて供給するようにしたので、新たに冷却用熱媒体の供給装置を設ける必要がなく、省エネルギおよび設備コストの低減等で有利である。
【００４６】
さらに、前記除湿熱交換器を少なくとも２基設け、空調工程で一方の除湿熱交換器を使用中に、再生工程で、使用により吸湿能力が低下した他方の除湿熱交換器の吸着材を再生できるため、吸湿能力が低下すると再生済みの除湿熱交換器を切り替えて使用することにより、空調空気を連続して供給することができる。そして、この除湿熱交換器の吸着材の再生に、マイクロガスタービンの排気ガスを利用するようにしたので、新たに加熱用熱媒体の供給装置を設ける必要がなく、省エネルギおよび設備コストの低減等の利点がある。
【図面の簡単な説明】
【図１】相対湿度に対する吸着量を示す吸着等温線の説明図
【図２】この発明の実施形態のデシカント空調システムの空調工程を形成する装置と空気の流れを示す説明図
【図３】同上の再生工程を形成する装置と空気の流れを示す説明図
【図４】従来技術のデシカント空調システムを形成する装置と空気の流れを示す説明図
【符号の説明】
１：除湿熱交換器        ２：乾燥空気用熱交換器      ３：乾燥空気用加湿器
４：空調空間            ５：外気用熱交換器        ６、６ａ、６ｂ：ブロア
７：排出空気用加湿器    ８：マイクロガスタービン
Ｐ１、Ｐ２：第１、第２の空調工程      Ｒ１、Ｒ２：第１、第２の再生工程
１１：ロータ型除湿熱交換器      １２：乾燥空気用熱交換器
１３：乾燥空気用加湿器          １４：空調空間
１５：排出空気用加湿器          １６：ブロワ      Ｇ：高温ガス
【図１】
2004271081.tif 000003
【図２】
2004271081.tif 000004
【図３】
2004271081.tif 000005
【図４】
2004271081.tif 000006